(57)【要約】      （修正有）【課題】遮光性能および信頼性の向上を図り、容易に製作することができる感光性記録媒体用カートリッジ。【解決手段】ディスク状の感光性記録媒体を回転自在に収容するディスク収容部３と感光性記録媒体を外部に露呈させる第１の開口とを有する内部ケースと、第２の開口を有し、内部ケースを収容する外部ケースと、内部ケースと外部ケースとの間に組み込まれて、第１の開口を開閉する位置に移動自在に配設されたシャッタとを備える感光性記録媒体用カートリッジであって、内部ケースが第１インナーシェルと第２インナーシェル１７とを有し、外部ケースが第１アウターシェル２６と第２アウターシェル２７とを有し、第１インナーシェル，第２インナーシェル，第１アウターシェル，第２アウターシェルが、内部ケースと外部ケースのそれぞれ対応する締結部材用貫通穴２２，２３および結合用貫通穴３６，３７に１つの締結部材を同時に挿通させて結合される。【選択図】図１４
2007234074.tif 000002
【特許請求の範囲】
【請求項１】
ディスク状の感光性記録媒体と、
前記感光性記録媒体を回転自在に収容するディスク収容部と、前記感光性記録媒体の中心と記録面とを外部に露呈させる第１の開口と、を有する内部ケースと、
前記第１の開口に対面して前記感光性記録媒体の中心と記録面とを外部に露呈させる第２の開口を有し、前記内部ケースの外側に位置して前記内部ケースを収容する外部ケースと、
前記内部ケースと前記外部ケースとの間に組み込まれて、前記第１の開口を閉じる閉じ位置と前記第１の開口を開放する開き位置との間で移動自在に配設されたシャッタと、
を備える感光性記録媒体用カートリッジであって、
前記内部ケースは、締結部材用貫通穴が設けられ前記感光性記録媒体の表面側を覆う板状の第１インナーシェルと、締結部材用貫通穴が設けられ前記感光性記録媒体の裏面側を覆う板状の第２インナーシェルと、を有し、
前記外部ケースは、前記内部ケースの前記締結部材用貫通穴に対応して結合用貫通穴が設けられ、前記内部ケースの外側を覆う第１アウターシェルおよび第２アウターシェルを有し、
前記第１インナーシェル、前記第２インナーシェル、前記第１アウターシェル、および前記第２アウターシェルは、前記内部ケースおよび前記外部ケースのそれぞれ対応する前記締結部材用貫通穴および前記結合用貫通穴に１つの締結部材を同時に挿通させて結合されることを特徴とする感光性記録媒体用カートリッジ。
【請求項２】
ディスク状の感光性記録媒体と、
前記感光性記録媒体を回転自在に収容するディスク収容部と、前記感光性記録媒体の中心と記録面とを外部に露呈させる第１の開口と、を有する内部ケースと、
前記第１の開口に対面して前記感光性記録媒体の中心と記録面とを外部に露呈させる第２の開口を有し、前記内部ケースの外側に位置して前記内部ケースを収容する外部ケースと、
前記内部ケースと前記外部ケースとの間に組み込まれて、前記第１の開口を閉じる閉じ位置と前記第１の開口を開放する開き位置との間で移動自在に配設されたシャッタと、
を備える感光性記録媒体用カートリッジであって、
前記内部ケースは、締結部材用貫通穴が設けられ前記感光性記録媒体の表面側を覆う板状の第１インナーシェルと、締結部材用貫通穴が設けられ前記感光性記録媒体の裏面側を覆う板状の第２インナーシェルと、締結部材用貫通穴が設けられ前記第１インナーシェルと前記第２インナーシェルとに挟持されて前記感光性記録媒体を保持する枠状のディスク保持部材と、を有し、
前記外部ケースは、前記内部ケースの前記締結部材用貫通穴に対応して結合用貫通穴が設けられ、前記内部ケースの外側を覆う第１アウターシェルおよび第２アウターシェルを有し、
前記第１インナーシェル、前記第２インナーシェル、前記ディスク保持部材、前記第１アウターシェル、および前記第２アウターシェルは、前記内部ケースおよび前記外部ケースのそれぞれ対応する前記締結部材用貫通穴および前記結合用貫通穴に１つの締結部材を同時に挿通させて結合されることを特徴とする感光性記録媒体用カートリッジ。
【発明の詳細な説明】
【技術分野】
【０００１】
本発明は、感光性記録媒体用カートリッジに関し、より詳細には、遮光性能を向上させて信頼性を高めると共に、容易に製作することができる感光性記録媒体用カートリッジに関する。
【背景技術】
【０００２】
データをホログラムによって記録するホログラム記録媒体が発明されている（例えば、特許文献１参照）。このホログラム記録媒体は、円板形状の支持体上に感光性材料からなるホログラム記録層が層設された感光性記録媒体であり、データをレーザ光の干渉縞として多層記録することにより、従来普及している記録媒体であるDVDよりも大きなデータ記録容量を得ることができる。このホログラム記録媒体は、ホログラム記録層が曝光され、または塵芥が付着することによりその性能に悪影響が及ぶため、遮光機能及び防塵機能を有するカートリッジに収容されて取り扱われている（例えば、特許文献２参照）。また、カートリッジが、カートリッジ筐体とシャッタ板とカバーとから構成されたものが知られている（例えば、特許文献３参照）。
【０００３】
特許文献１に記載の発明は、DVD-RAMのカートリッジに類似したカートリッジにホログラム記録媒体を収容している。このカートリッジは、ホログラム記録層に影響を与える波長域の光線の透過率が小さい材質で形成されている。特許文献１には、カ一トリッジの詳しい構成は記載されていないものの、特許文献２に記載されているカートリッジと同様の構成を有しているものと考えられる。
【０００４】
特許文献２に記載の発明は、ホログラム記録層の感応色を遮光する材質でカートリッジを形成し、ホログラム記録媒体を外部に露呈させる可動部分の合せ目には、スポンジ状の遮光材を貼付している。また、記録媒体を回転自在な状態で収容するカートリッジ本体と、このカートリッジ本体に設けられ、記録媒体の一部を外部に露呈させる開口と、この開口を開閉するシャッタとを備えたカートリッジが記載されている。
【０００５】
特許文献３に記載の発明は、カートリッジ筐体の開口周囲とシャッタ板、およびシャッタ板とカバーの開口周囲との間にそれぞれオーバーラップを設け、これらの二重のオーバーラップにより外部からの塵埃の進入を防止している。また、カバーは、カートリッジ筐体の外表面の一部に接着することによりカートリッジ筐体に固定されている。
【０００６】
【特許文献１】特開２００４―０２９４７６号公報
【特許文献２】特開２００３―３１７４２２号公報
【特許文献３】特開２００３―３１７４２４号公報
【発明の開示】
【発明が解決しようとする課題】
【０００７】
ホログラム記録媒体を収容するカートリッジは、カートリッジ本体とシャッタとの間の遮光及び防塵が適切に行なわれないと、光や塵芥がカ一トリッジ内に進入し、ホログラム記録媒体に悪影響を与えてしまう。しかし、特許文献１には、カートリッジ本体とシャッタとの間の遮光及び防塵構造に関する記載がない。
【０００８】
また、特許文献２に記載のカートリッジは、カートリッジ本体とシャッタとの間をスポンジ状の遮光材で遮光しているが、この遮光材が剥がれ、または劣化した場合に適切な遮光及び防塵が行なえなくなるという問題がある。また、特許文献２記載のカートリッジは、カートリッジカバーを備えておらず、シャッタが直接外部に露出しているので、シャッタが誤って開放されたり、大きな外力が作用した場合にシャッタが変形する虞があり、ホログラム記録媒体が感光して使用できなくなる可能性があった。
【０００９】
特許文献３に記載のカートリッジは、カートリッジカバーがカートリッジ筐体に形成された凹部に接着されて取り付けられており、シャッタの保護機能を有する。しかし、特許文献２記載のカートリッジと同様に、薄板状のシャッタおよびカートリッジカバーが、カートリッジの最外部に露呈して配置されているので外力が作用し易く、変形する虞があり、信頼性および遮光性能が必ずしも十分ではなかった。また、カートリッジカバーは、カートリッジ筐体に接着されて固定されるので、作業性が悪く効率よくカートリッジを製作し難い問題があった。
【００１０】
本発明は、上記事情に鑑みてなされたもので、その目的は、遮光性能および信頼性の向上を図ると共に、容易に製作することができる感光性記録媒体用カートリッジを提供することにある。
【課題を解決するための手段】
【００１１】
本発明の上記目的は、下記感光性記録媒体用カートリッジによって達成される。
（１）  ディスク状の感光性記録媒体と、前記感光性記録媒体を回転自在に収容するディスク収容部と、前記感光性記録媒体の中心と記録面とを外部に露呈させる第１の開口と、を有する内部ケースと、前記第１の開口に対面して前記感光性記録媒体の中心と記録面とを外部に露呈させる第２の開口を有し、前記内部ケースの外側に位置して前記内部ケースを収容する外部ケースと、前記内部ケースと前記外部ケースとの間に組み込まれて、前記第１の開口を閉じる閉じ位置と前記第１の開口を開放する開き位置との間で移動自在に配設されたシャッタと、を備える感光性記録媒体用カートリッジであって、前記内部ケースは、締結部材用貫通穴が設けられ前記感光性記録媒体の表面側を覆う板状の第１インナーシェルと、締結部材用貫通穴が設けられ前記感光性記録媒体の裏面側を覆う板状の第２インナーシェルと、を有し、前記外部ケースは、前記内部ケースの前記締結部材用貫通穴に対応して結合用貫通穴が設けられ、前記内部ケースの外側を覆う第１アウターシェルおよび第２アウターシェルを有し、前記第１インナーシェル、前記第２インナーシェル、前記第１アウターシェル、および前記第２アウターシェルは、前記内部ケースおよび前記外部ケースのそれぞれ対応する前記締結部材用貫通穴および前記結合用貫通穴に１つの締結部材を同時に挿通させて結合されることを特徴とする感光性記録媒体用カートリッジ。
【００１２】
上記構成の感光性記録媒体用カートリッジによれば、内部ケースを構成する第１インナーシェルおよび第２インナーシェル、外部ケースを構成する第１アウターシェルおよび第２アウターシェルには、それぞれ対応する位置に締結部材用貫通穴および結合用貫通穴が形成されているので、第１インナーシェル、第２インナーシェル、第１アウターシェル、および第２アウターシェルを重ね合わせ、ねじなどの締結部材を締結部材用貫通穴および結合用貫通穴に同時に挿通して容易に組み付けることができる。
【００１３】
（２）  ディスク状の感光性記録媒体と、前記感光性記録媒体を回転自在に収容するディスク収容部と、前記感光性記録媒体の中心と記録面とを外部に露呈させる第１の開口と、を有する内部ケースと、前記第１の開口に対面して前記感光性記録媒体の中心と記録面とを外部に露呈させる第２の開口を有し、前記内部ケースの外側に位置して前記内部ケースを収容する外部ケースと、前記内部ケースと前記外部ケースとの間に組み込まれて、前記第１の開口を閉じる閉じ位置と前記第１の開口を開放する開き位置との間で移動自在に配設されたシャッタと、を備える感光性記録媒体用カートリッジであって、前記内部ケースは、締結部材用貫通穴が設けられ前記感光性記録媒体の表面側を覆う板状の第１インナーシェルと、締結部材用貫通穴が設けられ前記感光性記録媒体の裏面側を覆う板状の第２インナーシェルと、締結部材用貫通穴が設けられ前記第１インナーシェルと前記第２インナーシェルとに挟持されて前記感光性記録媒体を保持する枠状のディスク保持部材と、を有し、前記外部ケースは、前記内部ケースの前記締結部材用貫通穴に対応して結合用貫通穴が設けられ、前記内部ケースの外側を覆う第１アウターシェルおよび第２アウターシェルを有し、前記第１インナーシェル、前記第２インナーシェル、前記ディスク保持部材、前記第１アウターシェル、および前記第２アウターシェルは、前記内部ケースおよび前記外部ケースのそれぞれ対応する前記締結部材用貫通穴および前記結合用貫通穴に１つの締結部材を同時に挿通させて結合されることを特徴とする感光性記録媒体用カートリッジ。
【００１４】
上記構成の感光性記録媒体用カートリッジによれば、内部ケースを構成する第１インナーシェル、第２インナーシェルおよびディスク保持部材、外部ケースを構成する第１アウターシェルおよび第２アウターシェルには、それぞれ対応する位置に締結部材用貫通穴および結合用貫通穴が形成されているので、第１インナーシェル、第２インナーシェル、ディスク保持部材、第１アウターシェル、および第２アウターシェルを重ね合わせ、ねじなどの締結部材を締結部材用貫通穴および結合用貫通穴に同時に挿通して容易に組み付けることができる。
【発明の効果】
【００１５】
本発明によれば、遮光性能および信頼性の向上を図ると共に、容易に製作することができる感光性記録媒体用カートリッジを提供できる。
【発明を実施するための最良の形態】
【００１６】
以下、本発明に係る感光性記録媒体用カートリッジの実施形態を図面に基づいて詳細に説明する。
【００１７】
図１は本発明の実施形態であるホログラム記録媒体用カートリッジ（以下、カートリッジと省略する）の分解斜視図、図２は図１におけるホログラム記録媒体用カートリッジの外観形状を示す斜視図、図３は第１インナーシェルと第２インナーシェルとが重ね合わされて組み付けられた内部ケースの斜視図である。図４は各断面位置を明示するための平面図、図５は図４におけるＢ−Ｂ断面図、図６は図５における円Ｉで囲まれた部分の拡大図、図７は図４におけるＣ−Ｃ断面図、図８は図７における円Ｊで囲まれた部分の拡大図、図９は図４におけるＤ−Ｄ断面図、図１０は図９における円Ｇで囲まれた部分の拡大図、図１１は図９における円Ｈで囲まれた部分の拡大図、図１２は図４におけるＦ−Ｆ断面図、図１３は図１２における円Ｋで囲まれた部分の拡大図、図１４は図１２における円Ｌで囲まれた部分の拡大図である。
【００１８】
図１および図２に示すように、カートリッジ２は、このカートリッジを取り扱うホログラム記録装置等に対し、矢印Ｃ方向から装填される。カートリッジ２の装填方向先端の両側面には、カートリッジ２がホログラム記録装置等の各種機器に装填された際に、各機器に設けられた位置決め部材が挿入される位置決め溝７,８が設けられている。
【００１９】
記録ディスク４は、中心部に穴をあけてディスク状にしたホログラム記録ディスクであり、両面にホログラム記録層が設けられている。このホログラム記録層には、例えば、緑色５３２ｎｍ〜青色４０５ｎｍの波長域のレーザ光により、データがレーザ光の干渉縞として多層記録される。なお、記録ディスク４の穴部に補強材を付加してもよい。カートリッジ２は、記録ディスク４の両面の記録面に記録を行なうために、Ａ面２ａまたはＢ面２ｂのいずれかを上にしてホログラム記録装置にセットされる。
【００２０】
カートリッジ２は、カートリッジ本体２１と、シャッタ１３とを備えている。カートリッジ本体２１は、ディスク収容部３が設けられた内部ケース１１と、内部ケース１１の外側に設けられて内部ケース１１を収容する外部ケース１２と、シャッタ１３のロックを行なうロック機構２８とから構成されている。シャッタ１３は、略コの字形に形成された薄板部材であるシャッタ部材５５と、シャッタ部材５５に固定されてシャッタ閉じ方向に延設されたスライド部材５６とから構成される。シャッタ部材５５は、内部ケース１１の両面を挟み込むようにして内部ケース１１と外部ケース１２との間に組み込まれる。
【００２１】
外部ケース１２の両面には、第２の開口である略長方形の外部開口１４，１５が形成されている。これらの外部開口１４，１５は、シャッタ１３が閉じ位置にあるときに、第１シャッタ５５ａ，第２シャッタ５５ｂによって閉じられている。
【００２２】
図２に示すように、シャッタ１３が矢印Ｄ方向の開き位置に向けて移動すると、外部開口１４,１５とともに、外部開口１４,１５に対面するように内部ケース１１に設けられている同形状の内部開口１８,１９が開放される。これにより、ディスク収容部３内に収容されている記録ディスク４の中心部４ａと、記録面４ｂとが外部に露呈される。
【００２３】
シャッタ１３は、内蔵するシャッタバネによって閉じ位置に付勢され、かつロック機構２８によって閉じ位置でロックされている。ロック機構２８の解除は、位置決め溝７内に突出されている第２のロック部材６４をカートリッジ２内に押し込み、その状態でカートリッジ２のＡ面２ａ及びＢ面２ｂの開口７２,７３から露呈されている第１のロック部材６３をカートリッジ装填方向の後端側にスライドさせる。このように、シャッタ１３は、２段階の操作を行なわなければ解除されないロック機構２８によって閉じ位置でロックされているため、シャッタ１３が不用意に開放されることはない。
【００２４】
図１および図３に示すように、内部ケース１１は、略板状の第１インナーシェル１６と、この第１インナーシェル１６に接合される第２インナーシェル１７とから構成される。第１インナーシェル１６および第２インナーシェル１７は、例えば、遮光性物質と滑剤とが添加された同一または類似の熱可塑性プラスチックを用いて、射出成形により形成されている。第１インナーシェル１６と第２インナーシェル１７は、図１に示すように、互いに独立した別部品であってもよく、また図３に示すように、ヒンジ部２９によって連結されていてもよい。
【００２５】
ヒンジ部２９で連結して形成する場合、第１インナーシェル１６と第２インナーシェル１７とを１つの金型で一体成形することができ、金型数を削減することができる。また、内部ケース１１の組付けにおいても、ヒンジ部２９で矢印方向に折り曲げて第１インナーシェル１６と第２インナーシェル１７とを重ね合わせることにより、容易に組み付けることができる。
【００２６】
尚、ヒンジ部２９により連結される部材は、インナーシェル同士に限定されることはなく、インナーシェルとアウターシェル、またはアウターシェル同士をヒンジ部２９で連結することもできる。
【００２７】
図５に示すように、第２インナーシェル１７の内面には、記録ディスク４の外径よりも大きな内径で形成された突条である第１の遮光壁３０と、この第１の遮光壁３０の外側に設けられた第２の遮光壁３１とが設けられている。遮光壁３０の内側には、記録ディスク４の中心部４ａと記録面４ｂとを外部に露呈させる内部開口１９が設けられている。また、第１インナーシェル１６の内面には、第２インナーシェル１７の第１の遮光壁３０と第２の遮光壁３１との間に挿入される第３の遮光壁３３が形成されている。第３の遮光壁３３の内側には、記録ディスク４の中心部４ａと記録面４ｂとを外部に露呈させる内部開口１８が設けられている。
【００２８】
第２インナーシェル１７の第１の遮光壁３０の内側に記録ディスク４を乗せ、第１インナーシェル１６を第２インナーシェル１７の上面に重ね合わせると、第３の遮光壁３３が第１の遮光壁３０と第２の遮光壁３１との間に挿入される。ディスク収容部３は、これらの遮光壁３０、３１、３３と、第１インナーシェル１６および第２インナーシェル１７の内面とによって形成される。ディスク収容部３の側壁は、３枚の遮光壁３０，３１,３３が入り組んで形成されたラビリンス状の遮光構造となる。そのため、第１インナーシェル１６および第２インナーシェル１７の合せ目から光や塵芥が入り込んでも、これらがディスク収容部３内にまで進入することはない。
【００２９】
第１インナーシェル１６および第２インナーシェル１７は、図３において、左斜め上方に略矩形状に延設され、内部開口１８、１９を含む矩形平面部が形成されている。矩形平面部の外表面は、内側にオフセットされてシャッタ摺動面１６ａ、１７ａが形成されている。内部開口１８、１９の開口周縁部、およびシャッタ摺動面１６ａ、１７ａの上部および下部には、突堤部１６ｂ、１７ｂが形成されている。
【００３０】
図９から図１１に示すように、シャッタ部材５５は、シャッタ摺動面１６ａ、１７ａに沿って内部開口１８、１９を開く方向（図２において矢印Ｄ方向）および閉じる方向（図２において矢印Ｄと反対方向）に移動自在に配設されている。シャッタ部材５５は、その内面が突堤部１６ｂ、１７ｂと摺接し、シャッタ摺動面１６ａ、１７ａの他の部分とシャッタ部材５５の内面との間には、僅かな隙間が形成される。これにより、シャッタ部材５５は、突堤部１６ｂ、１７ｂと摺接により高い遮光性を確保すると共に、摺動抵抗なく滑らかな移動が可能となる。
【００３１】
図１および図３に示すように、第１インナーシェル１６の斜め下方には、リブ１６ｃ、１６ｄが延設されている。また、第２インナーシェル１７には、斜め下方および斜め上方にリブ１７ｃ、１７ｄ、１７ｅが延設されている。更に、矩形平面部の端部は、略半円形の切欠部１６ｆ、１７ｆが形成されて、後述する締結部材であるねじが挿通される。
【００３２】
図７、図８、および図１２から図１４に示すように、第２インナーシェル１７のリブ１７ｃ、１７ｄ、１７ｅおよび矩形平面部には、それぞれボス部１７ｇ、１７ｈ、１７ｊ、１７ｋが形成されており、夫々のボス部１７ｇ、１７ｈ、１７ｊ、１７ｋには、締結部材用貫通穴２２が形成されている。
【００３３】
第１インナーシェル１６のリブ１６ｃ、１６ｄには、夫々締結部材用貫通穴２３が形成されており、第２インナーシェル１７と重ね合わされたとき、ボス部１７ｇ、１７ｈ、１７ｊと嵌合する。
【００３４】
図１および図２に示すように、外部ケース１２は、第１アウターシェル２６と第２アウターシェル２７とから構成される。第１アウターシェル２６および第２アウターシェル２７は、例えば、遮光性物質と滑剤とが添加された同一または類似の耐熱性の熱可塑性プラスチックを用いて、射出成形により形成されている。耐熱性プラスチックとしては、表面硬度が高いポリカーボネート樹脂を用いることができる。ポリカーボネート樹脂は、耐熱性を有するので環境温度が変化しても外部ケース１２の変形は小さい。また、吸水率が０．２％以下と低く、湿度変化に対しても有利である。
【００３５】
即ち、カートリッジ２が記録再生装置に装着されているとき、温度、湿度が変化しても、外部ケース１２の変形量は小さく、温度、湿度の変化から内部ケース１１を保護する。また、外部ケース１２の表面硬度が高いため、不測の外力が外部ケース１２に作用しても、外力から内部ケース１１を保護し、内部ケース１１の変形を防止する。これにより、内部ケース１１と記録ディスク４との接触が阻止されてカートリッジ２の信頼性が高められる。
【００３６】
図１、図５、図７、図９、図１２に示すように、第１アウターシェル２６および第２アウターシェル２７には、端縁全周に突条２４、２５が設けられている。突条２４、２５の内側には、記録ディスク４の中心部４ａと記録面４ｂとを外部に露呈させる外部開口１４、１５がそれぞれ設けられている。外部開口１４、１５の開口周縁部には、内面に突堤部３４，３５が形成されている（図１０、図１１参照）。
【００３７】
シャッタ部材５５は、その外面が突堤部３４，３５と摺接し、第１アウターシェル２６および第２アウターシェル２７のその他の部分とシャッタ部材５５の外面との間には、僅かな隙間が形成される。これにより、シャッタ部材５５は、高い遮光性を確保しながら摺動抵抗なく滑らかな移動することができる。
【００３８】
図７、図８、図１２〜図１４に示すように、第１アウターシェル２６の内面には、内部ケース１１の４箇所の締結部材用貫通穴２２、２３に対応して、結合用貫通穴３６、３７が形成されている。より具体的には、リブ１６ｃに形成された締結部材用貫通穴２３（図１において左斜め下方）に対応して、該締結部材用貫通穴２３に嵌合するボス部２６ｃが設けられ、該ボス部２６ｃには結合用貫通穴３６が形成されている(図１４参照)。リブ１６ｄに設けられた締結部材用貫通穴２３（図１において右斜め下方）に対応して、該締結部材用貫通穴２３に嵌合するボス部１７ｈと嵌合する凹部が設けられ、該凹部に結合用貫通穴３７が形成されている(図８参照)。
【００３９】
また、第２アウターシェル２７の切欠部１６ｆに対応して、ボス部１７ｋと嵌合する凹部が設けられ、該凹部に結合用貫通穴３７が形成されている(図１３参照)。更に、ボス部１７ｊに形成された締結部材用貫通穴２２（図１において右斜め上方）に対応して、ボス部２６ｅが設けられ、該ボス部２６ｅには結合用貫通穴３６が形成されている(図７参照)。
【００４０】
第２アウターシェル２７の内面には、内部ケース１１の４箇所の締結部材用貫通穴２２、２３に対応して、結合用貫通穴３６、３７が形成されている。具体的には、ボス部１７ｇに形成された締結部材用貫通穴２２（図１において左斜め下方）に対応して、ボス部１７ｇと嵌合する凹部が設けられ、該凹部に結合用貫通穴３７が形成されている（図１４参照)。ボス部１７ｈに形成された締結部材用貫通穴２２（図１において右斜め下方）に対応して、結合用貫通穴３６が形成されたボス部２７ｈが形成されている（図８参照)。
【００４１】
また、ボス部１７ｊに形成された締結部材用貫通穴２２（図１において右斜め上方）に対応して、ボス部１７ｊと嵌合する凹部が設けられ、該凹部に結合用貫通穴３７が形成されている（図７参照)。更に、ボス部１７ｋに形成された締結部材用貫通穴２２（図１において左斜め上方）に対応して、結合用貫通穴３６が形成されたボス部２７ｋが形成されている（図１３参照)。
【００４２】
そして、第１インナーシェル１６と第２インナーシェル１７とを重ね合わせ、更にその外側に第１アウターシェル２６および第２アウターシェル２７を組み付けたとき、対応するボス部と穴および凹部とが嵌合して自動的に位置決めされる。これにより、対応する４個の締結部材用貫通穴２２、２３および結合用貫通穴３６、３７は、夫々軸心が一致して配置され、締結部材であるねじ３２を挿通することにより、各部材が一体に結合される。
【００４３】
図１に示すように、シャッタ１３は、遮光性を有する薄板を略コ字形状に形成したシャッタ部材５５と、このシャッタ部材５５に取り付けられる細長い板状のスライド部材５６とからなり、シャッタバネ５９により内部開口１８,１９を閉じる方向に付勢されている。シャッタバネ５９は、例えば、捩じりコイルバネからなり、その両端は、スライド部材５６と、第１アウターシェル２６の内面とに係止されている。
【００４４】
シャッタ部材５５およびスライド部材５６は、遮光性と滑り性とを確保するために、遮光性物質と滑剤とが添加されたプラスチックにより形成される。シャッタ部材５５は、第１インナーシェル１６の外面と第１アウターシェル２６の内面との間に挿入される第１シャッタ５５ａと、第２インナーシェル１７の外面と第２アウターシェル２７の内面との間に挿入される第２シャッタ５５ｂと、これら第１シャッタ５５ａと第２シャッタ５５ｂとを連設するとともに、スライド部材５６が取り付けられる連設部５５ｃとを備えている。連設部５５ｃの一部は、切り起こされて、スライド部材５６に固定するための固定部５５ｄが形成されている。
【００４５】
シャッタ部材５５は、第１シャッタ５５ａと第２シャッタ５５ｂとで、内部ケース１１の両面を挟むように組み付けられた後、外部ケース１２が取り付けられて外部ケース１２内に収容される。第１シャッタ５５ａおよび第２シャッタ５５ｂは、それぞれ第１インナーシェル１６および第２インナーシェル１７のシャッタ摺動面１６ａ、１７ａに沿い、その内面が突堤部１６ｂ、１７ｂのみと摺接しながら移動する。
【００４６】
即ち、第１シャッタ５５ａおよび第２シャッタ５５ｂは、シャッタ摺動面１６ａ、１７ａの全面と摺接することなく、突堤部１６ｂ、１７ｂのみと摺接して移動するので、高い遮光性を確保しながら摺動抵抗なくスムースに移動することができる。このため、移動による切屑等の発生を抑えることができる。なお、シャッタ摺動面１６ａ、１７ａは、入射した光を拡散するために、粗面にしてもよい。同様に外部ケース１２（第１アウターシェルおよび第２アウターシェル）の内面、及びシャッタ部材５５の内面及び外面も粗面にしてもよい。
【００４７】
図２、図６および図１５に示すように、スライド部材５６は、カートリッジ２の装填方向前面５６ａが外部ケース１２の装填方向先端面から露出されるように、第１アウターシェル２６と第２アウターシェル２７との間にスライド自在に組み込まれる。スライド部材５６の側面には、シャッタ部材５５の固定部５５ｄが取り付けられる取付凹部５６ｂが設けられている。この取付凹部５６ｂには、シャッタ部材５５の固定部５５ｄが、図示しないねじなどにより固定されてシャッタ部材５５とスライド部材５６とが固着される。なお、この固着は、接着剤や両面テープ等を用いてもよいし、各種溶着を使用してもよい。
【００４８】
図６及び図１５に示すように、スライド部材５６の側面には、長手方向に沿って突条５６ｃが形成されている。この突条５６ｃは、第１アウターシェル２６及び第２アウターシェル２７の装填方向先端側の内面に設けられた溝２６ａ、２７ａと摺動自在に嵌合する。これにより、スライド部材５６は第１アウターシェル２６及び第２アウターシェル２７から外れることなく、滑らかにスライド移動することができるようになる。
【００４９】
スライド部材５６の前面５６ａのシャッタ閉じ方向の端部には、端面から中心に向かうに従って次第に幅が狭まる略ハの字形に形成された係合溝５６ｄが設けられている。係合溝５６ｄの奥側には、シャッタ１３を開く際に操作される係止部５６ｅが突出して形成されている。
【００５０】
外部ケース１２の前端部は、シャッタ１３の閉じ方向の一部が切り欠かれて開放部４０が設けられている（図２参照）。係止部５６ｅは、シャッタ部材５５に対し、スライド部材５６をシャッタの閉じ方向に伸ばすように設けたことにより、外部ケース１２に隠れることなく開放部４０から外部に露出されている。この開放部４０は、シャッタ１３が開き位置に移動した際に、係止部５６ｅとの干渉を避けるために設けられたものであり、シャッタ１３の移動距離が不足して内部開口１８,１９を開放できない場合に形成することにより移動距離の拡大が図られる。
【００５１】
次に、ロック機構およびシャッタ開放機構について図１５から図１７に基づいて説明する。図１５はロック機構の構成を示す分解斜視図、図１６は図１５に示すロック機構の動作説明図、図１７はシャッタを開放するための各種機構の一例を示す説明図である。
【００５２】
図１５に示すように、スライド部材５６には、係止部５６ｅに隣接して裏面側に凹部５６ｆが形成されている。凹部５６ｆの図中右側面は、カートリッジの装填方向前方に向かうに従って次第にシャッタの閉じ方向に傾斜する係合傾斜面（係合部）５６ｇが形成されている。また、スライド部材５６の図中右端面と下面との角部は、係合傾斜面５６ｇと略平行に面取りされた案内傾斜面５６ｈが形成されている。
【００５３】
ロック機構２８は、シャッタを閉じ位置でロックする第１のロック部材６３と、第１のロック部材６３の移動をロックする第２のロック部材６４と、第１のロック部材６３を図中上方に付勢すると共に第２のロック部材６４を図中右方向に向けて付勢するロックバネ６５とから構成されている。
【００５４】
第１のロック部材６３は、第２アウターシェル２７内に設けられたスライド枠６６内に組み込まれて、縦方向でスライド自在とされている。第１のロック部材６３の先端には、スライド部材５６の凹部５６ｆに係合してシャッタ１３をロックするロック片６３ａと、開口７２から外部に露呈される矩形操作穴６３ｂと、第１のロック部材６３の側面に形成されて第２のロック部材６４と係合する嵌合溝６３ｃとを備えている。
【００５５】
第２のロック部材６４は、第１のロック部材６３の上に重ねられるようにスライド枠６６内に組み込まれて横方向でスライド自在とされている。第２のロック部材６４は、先端６４ａが略三角形状に形成されて位置決め溝７に設けられた切欠６７から外部に突出される。また、第２のロック部材６４には、後端に形成された規制突起６４ｂおよび溝６４ｃが設けられており、第１のロック部材６３が溝６４ｃに嵌合して上下方向に移動自在に配設される。
【００５６】
第１のロック部材６３のロック片６３ａの上面は、シャッタが開き位置から閉じ位置に移動する際に、凹部５６ｆとの係合を誘うための斜面６３ｅが、スライド部材５６の係合傾斜面５６ｇと略平行に形成されている。また、ロック片６３ａの図中右側には、凹部５６ｆの係合傾斜面５６ｇと略平行な傾斜面であるフック部６３ｆが形成されており、スライド部材５６が図中左方向（シャッタが開く方向）に移動すると、係合傾斜面５６ｇがフック部６３ｆと係合して該移動を確実に阻止するようになっている。第１のロック部材６３及び第２のロック部材６４は、ピン６８に挿入されたロックバネ６５によってそれぞれ上方及び右方に付勢されている。
【００５７】
図１７に示すように、カートリッジ２を装填して使用されるホログラム記録装置（駆動装置）内には、例えば、１対の位置決め部材７７,７７と、第１のロック部材６３を操作する１対のロック解除アーム７８、７８と、シャッタ１３を開き位置と閉じ位置との間でスライドさせる１対のシャッタ開放機構８０とが組み込まれている。一対の位置決め部材７７,７７は、装填されたカートリッジ２の両側面の位置決め溝７,８に係合して、カートリッジ２の挿入方向、及びこの挿入方向に直交する方向でカートリッジ２を位置決めする。
【００５８】
ロック解除アーム７８、７８は、その一端に嵌合する軸８１を中心として揺動自在に配設された略Ｌ字形の部材であり、先端の突起部には傾斜面７８ａが形成されている。ロック解除アーム７８が揺動して、先端の突起部がカートリッジ２の開口７３から第１のロック部材６３の矩形操作穴６３ｂに挿入されると、傾斜面７８ａが矩形操作穴６３ｂのカートリッジ挿入方向後方の面を押圧して第１のロック部材６３を装填方向と逆方向（図１６においては下方）に移動させる。
【００５９】
なお、記録ディスク４は両面への記録が可能であるため、カートリッジ２は、Ａ面２ａまたはＢ面２ｂのいずれもが上方に向けられて装置にセットされるが、装填面が異なると、ロック機構２８の位置が左右で反転する。そのため、ロック解除アーム７８は、カートリッジ２が反転して装填された場合でも矩形操作穴６３ｂに係合できるように、反転装填時用のロック解除アーム７８を備えている。
【００６０】
シャッタ開放機構８０は、装填されるカートリッジ２の側壁よりも外側に配置された支点ピン４１を中心として回動自在に配設されたシャッタアーム４２を備える。シャッタアーム４２は、その先端にシャッタ開放部材であるシャッタ開閉ローラ４３が回動自在に設けられると共に、コイルバネ４４によってシャッタ開閉ローラ４３が係合溝５６ｄに当接する方向に付勢されている。このシャッタ開放機構８０も、カートリッジ２の反転挿入に対応するために反対側の対称位置にもう一組設けられている。
【００６１】
図１６（Ａ）に示すように、カートリッジの不使用時には、ロックバネ６５の付勢により第２のロック部材６４の先端６４ａは切欠６７から位置決め溝７内に突出されている。このときに、第２のロック部材６４の規制突起６４ｂは、第１のロック部材６３の嵌合溝６３ｃに係合して、第１のロック部材６３の下方へのスライドを阻止する。
【００６２】
図１６（Ｂ）に示すように、カ一トリッジ２がホログラム記録装置等に装填されると、位置決め溝７に挿入された位置決め部材７７により先端６４ａが押され、第２のロック部材６４はカートリッジ内に押し込まれ、規制突起６４ｂが嵌合溝６３ｃから抜け出る。これにより、第１のロック部材６３は、下方へのスライドが可能となる。同時に、シャッタ開閉ローラ４３が係合溝５６ｄに対応する位置に配置される。
【００６３】
ここで、図１６（Ｃ）に示すように、装置内に設けられたロック解除アーム７８が第１のロック部材６３の矩形操作穴６３ｂに挿入されると、第１のロック部材６３は、ロック解除アーム７８の傾斜面７８ａによって押圧されて下方にスライドして、ロック片６３ａがスライド部材５６の凹部５６ｆから抜け出るため、シャッタの移動が可能となる。また同時に、シャッタ開閉ローラ４３が係合溝５６ｄに嵌合する。
【００６４】
更に、カートリッジ２が挿入されると、シャッタアーム４２はカートリッジ２に押圧され、コイルバネ４４の弾性力に抗して時計方向に回動する。このとき、シャッタ開閉ローラ４３は、嵌合する係合溝５６ｄによって案内されて図１６の正面視に対して直交する方向の位置が規制されながら、図中左方向（カートリッジ２の中心方向）に相対的に移動し、係止部５６ｅを押圧してシャッタ１３を開く。
【００６５】
係合溝５６ｄの幅は、カートリッジ２の中心に向かうに従って次第に幅が狭くなる略ハの字形に形成されているので、シャッタ開閉ローラ４３の位置が多少カートリッジ２の板厚方向にずれていても、容易に係合溝５６ｄと嵌合する。更に、シャッタ開閉ローラ４３が係止部５６ｅ方向に移動するのに伴って、略ハの字形の係合溝５６ｄにより板厚方向の位置が矯正されながら移動し、確実に係止部５６ｅに当接してシャッタ１３を開放する。
【００６６】
この実施形態のロック機構２８では、係合傾斜面５６ｇおよびフック部６３ｆの形状は、シャッタ１３が開く方向にスライド部材５６が移動すると、互いに噛み合わされて更に係合力が強まって強固に係合する方向に傾斜しているので、シャッタ１３の開放が確実に防止される。また、シャッタ１３のロックを解除するために２段階の操作が必要となるため、不用意にシャッタ１３が開放されるのを防止することができる。
【００６７】
図１８はラベル貼付部を示すカートリッジの外観斜視図である。図１８に示すように、カートリッジ２は、シャッタ１３が外部ケース１２内に収容されて外部に露出していないので、その外表面は外部開口１４、１５、シャッタ関連機構の露出部など、一部を除いて自由に使用可能である。例えば、記録内容を表すタイトルやメモなどが書き込まれたラベル１０Ａ、１０Ｂ、１０Ｃが、カートリッジ２のＡ面２ａからＢ面２ｂに亘って巻き込んで貼付することができる。これにより、より多くの情報が書き込み可能となるばかりでなく、カートリッジ２の側面相当部分にタイトルが記載されていれば、多くのカートリッジ２を積層状態で保管していても、側面部のタイトルから容易に目的のカートリッジ２を探すことができ、取扱い性が大幅に向上する。
【００６８】
上記説明したように、本実施形態の感光性記録媒体用カートリッジによれば、遮光性能および信頼性の向上を図ると共に、容易に製作することができる感光性記録媒体用カートリッジを提供できる。
【００６９】
次に、本発明に係る感光性記録媒体用カートリッジの第２実施形態について説明する。図１９は、第２実施形態の感光性記録媒体用カートリッジの分解斜視図である。なお、第２実施形態の感光性記録媒体用カートリッジ２０は、内部ケースの構造以外は、図１〜図１８で既に説明した感光性記録媒体用カートリッジ２と同様であるので、同一部分には同一符号または相当符号を付して説明を省略または簡略化する。
【００７０】
感光性記録媒体用カートリッジ２０の内部ケース１１１は、略板状の第１インナーシェル１１６と、略板状の第２インナーシェル１１７と、この第１インナーシェル１１６および第２インナーシェル１１７に挟持されて記録ディスク４を保持する枠状のディスク保持部材１１８とから構成される。
【００７１】
第１インナーシェル１１６と第２インナーシェル１１７は、厚さが薄い以外は第１インナーシェル１６および第２インナーシェル１７と同様であり、それぞれ内部開口１８、１９および締結部材用貫通穴２２、２３が形成されている。
【００７２】
ディスク保持部材１１８は、記録ディスク４の外径より大きく、記録ディスク４の厚さとほぼ同じ厚さを有する枠部１１９が形成されている。枠部１１９からは、斜め上方および斜め下方に向かって４個のリブ１１８ａ、１１８ｂ、１１８ｃ、１１８ｄが延設され、夫々のリブ１１８ａ、１１８ｂ、１１８ｃ、１１８ｄには、ボス部１１８ｇ、１１８ｈ、１１８ｊ、１１８ｋが形成されている。ボス部１１８ｇ、１１８ｈ、１１８ｊ、１１８ｋには、締結部材用貫通１２２が設けられている。
【００７３】
そして、枠部１１９内に記録ディスク４を嵌め込み、その両側を第１インナーシェル１１６と第２インナーシェル１１７とで挟持して記録ディスク４を回動自在に収容する。
【００７４】
本実施形態の感光性記録媒体用カートリッジ２０によれば、内部ケース１１１を構成する第１インナーシェル１１６、第２インナーシェル１１７およびディスク保持部材１１８、外部ケース１２を構成する第１アウターシェル２６および第２アウターシェル２７には、それぞれ対応する位置に締結部材用貫通穴２２、２３および結合用貫通穴３６、３７が形成されているので、第１インナーシェル１１６、第２インナーシェル１１７、ディスク保持部材１１８、第１アウターシェル２６、および第２アウターシェル２７を重ね合わせ、締結部材であるねじ３２を締結部材用貫通穴２２、２３および結合用貫通穴３６、３７に同時に挿通して容易に組み付けることができる。
【００７５】
なお、本発明は、前述した実施形態に限定されるものではなく、適宜な変形、改良などが可能である。
例えば、第１インナーシェルを第２インナーシェルに形成された遮光壁（第１実施形態では３０，３１，３３で示す部材）をそれぞれ、第１アウターシェル及び第２アウターシェルに形成する構成としてもよい。こうすれば、第１インナーシェル及び第２インナーシェルの形状を表面が平坦な板状部材とすることができる。
【００７６】
また、上記説明においては、両面に記録が可能な記録ディスクを収容するカートリッジを例に説明したが、一方の面に記録される記録ディスクに対応させてもよい。この場合には、開口を一方の面にのみ形成し、シャッタでこの開口を開閉する。また、ホログラム記録媒体を収容するカートリッジを例に説明したが、その他の感光性を有する記録媒体を収容するカ一トリッジにも本発明を適用することができ、同様の効果を奏する。
【００７７】
さらに、上記実施形態では、カートリッジの表裏面の開口が同時に開閉するシャッタ構造を例にあげたが、表面と裏面とが独立して開閉する構造にも適用できる。その場合には、シャッタ部材、スライド部材を表面、裏面にそれぞれ一対に配置し、カートリッジの開口を開閉するように構成すればよい。
【図面の簡単な説明】
【００７８】
【図１】本発明の実施形態であるホログラム記録媒体用カートリッジの分解斜視図である。
【図２】図１におけるホログラム記録媒体用カートリッジの外観形状を示す斜視図である。
【図３】第１インナーシェルと第２インナーシェルとが重ね合わされて組み付けられた内部ケースの斜視図である。
【図４】各断面位置を明示するための平面図である。
【図５】図４におけるＢ−Ｂ断面図である。
【図６】図５における円Ｉで囲まれた部分の拡大図である。
【図７】図４におけるＣ−Ｃ断面図である。
【図８】図７における円Ｊで囲まれた部分の拡大図である。
【図９】図４におけるＤ−Ｄ断面図である。
【図１０】図９における円Ｇで囲まれた部分の拡大図である。
【図１１】図９における円Ｈで囲まれた部分の拡大図である。
【図１２】図４におけるＦ−Ｆ断面図である。
【図１３】図１２における円Ｋで囲まれた部分の拡大図である。
【図１４】図１２における円Ｌで囲まれた部分の拡大図である。
【図１５】ロック機構の構成を示す分解斜視図である。
【図１６】図１５に示すロック機構の動作説明図である。
【図１７】シャッタを開放するための各種機構の一例を示す説明図である。
【図１８】ラベル貼付部を示すカートリッジの外観斜視図である。
【図１９】第２実施形態のホログラム記録媒体用カートリッジの分解斜視図である。
【符号の説明】
【００７９】
２         カートリッジ（感光性記録媒体用カートリッジ）
３         ディスク収容部
４         記録ディスク（感光性記録媒体）
１１       内部ケース
１２       外部ケース
１３       シャッタ
１４，１５        外部開口（第２の開口）
１６       第１インナーシェル
１７       第２インナーシェル
１７ｇ，１７ｈ，１７ｊ，１７ｋ         ボス部
１８，１９        内部開口（第１の開口）
２０       感光性記録媒体用カートリッジ
２２，２３        締結部材用貫通穴
２６       第１アウターシェル
２６ｃ，２６ｅ，２７ｈ，２７ｋ         ボス部
２７       第２アウターシェル
３２       ねじ（締結部材）
３６，３７        結合用貫通穴
５５       シャッタ部材
５６       スライド部材
１１１     内部ケース
１１６     第１インナーシェル
１１７     第２インナーシェル
１１８     ディスク保持部材
１１８ｇ，１１８ｈ，１１８ｊ，１１８ｋ        ボス部
【図１】
2007234074.tif 000003
【図２】
2007234074.tif 000004
【図３】
2007234074.tif 000005
【図４】
2007234074.tif 000006
【図５】
2007234074.tif 000007
【図６】
2007234074.tif 000008
【図７】
2007234074.tif 000009
【図８】
2007234074.tif 000010
【図９】
2007234074.tif 000011
【図１０】
2007234074.tif 000012
【図１１】
2007234074.tif 000013
【図１２】
2007234074.tif 000014
【図１３】
2007234074.tif 000015
【図１４】
2007234074.tif 000016
【図１５】
2007234074.tif 000017
【図１６】
2007234074.tif 000018
【図１７】
2007234074.tif 000019
【図１８】
2007234074.tif 000020
【図１９】
2007234074.tif 000021